(57)【要約】【課題】  リールを用いた遊技機において、リール停止時における絵柄の表示状態や当たりラインの形成状態を自然な状態に維持しつつ、リール回転時における遊技者の目押し補助に資することができ、よって遊技者に違和感や不快感を与えず、また初心者でも容易に目押しが可能な、楽しく面白い遊技を行うことができる遊技機の提供を課題とする。【解決手段】  複数種類からなる絵柄を周面に多数配列した回転自在のリール１０を複数個備え、該複数個のリール１０を回転状態から停止させた際に絵柄表示窓に表示される絵柄の種類の組み合わせによって、入賞の有無や入賞の種類を表示するようにした遊技機であって、前記リール１０の周面に配列される絵柄の少なくとも１つを他の絵柄から独立して機械的に変位可能な変位絵柄部材Ｄ１として構成し、この変位絵柄部材Ｄ１をリール１０上でその位置を変位させるように構成した。【選択図】        図３
2006051261.tif 000002
【特許請求の範囲】
【請求項１】
複数種類からなる絵柄を周面に多数配列した回転自在のリールを複数個備え、該複数個のリールを回転状態から停止させた際に絵柄表示窓に表示される絵柄の種類の組み合わせによって、入賞の有無や入賞の種類を表示するようにした遊技機であって、
前記リールの周面に配列される絵柄の少なくとも１つを他の絵柄から独立して機械的に変位可能な変位絵柄部材として構成し、この変位絵柄部材をリール上でその位置を変位させるように構成したことを特徴とする遊技機。
【請求項２】
変位絵柄部材を、リール停止中には基本位置に保持すると共に、リール回転中には基本位置から変位させることを特徴とする請求項１に記載の遊技機。
【請求項３】
変位絵柄部材をリールの回転による遠心力によって変位させることを特徴とする請求項１又は２に記載の遊技機。
【請求項４】
変位絵柄部材は、リール停止時には横長に配置すると共に、リール回転中には縦長状態になるように回転変位させることを特徴とする請求項１〜３の何れかに記載の遊技機。
【請求項５】
変位絵柄部材は、リール停止時には基本位置に配置すると共に、リール回転中はリールの周面に垂直な方向に変位させることを特徴とする請求項１〜３の何れかに記載の遊技機。
【請求項６】
変位絵柄部材は、リール停止時には基本位置に配置すると共に、リール回転中はリールの周面においてリールの幅方向に変位させることを特徴とする請求項１〜３の何れかに記載の遊技機。
【発明の詳細な説明】
【技術分野】
【０００１】
本発明はスロットマシーン、パロット等のリールを用いた遊技機に関する。
【背景技術】
【０００２】
スロットマシーン、パロット等のリールを用いた遊技機においては、例えば３つの回転するリールにそれぞれ配列された絵柄が、それら各リールの回転停止に伴って表示窓に停止して表示されるようになっており、その停止された各絵柄が一定の組み合わせになっているか否かによって、入賞か否か或いは入賞の種類が定まり、これによってメダルや遊技球等の遊技媒体の払い出しがなされる構成となっている。そして遊技者は前記回転リールの停止を自由なタイミングで行うことができる。従って今、例えば３つの絵柄の２つが停止した状態となり、残る３つ目の絵柄を一定の絵柄にて表示窓に停止させることができれば、一定の入賞を得ることができる状況にある場合には、遊技者はその最後の回転リールの停止を闇雲に行うのではなく、リールの回転中に表示窓を通過する絵柄の何らかの特徴を目で捉えて、目的の絵柄が表示窓に停止する確率ができるだけ高くなるように、その停止タイミングの判断、即ち「目押し」の判断をしようとする。
従来、このような遊技者の目押しの判断を容易にするための手段として、リール上の絵柄をアンバランスに配置するもの、具体的にはリール上の絵柄の中心位置を順次リールの左方向又は右方向にずらして配置したり、或いはリール上の一部の絵柄を回転方向又は対称方向にずらしたり、或いはその組み合わせをした変位絵柄として配置したもの（特許文献１）が提案されている。
【特許文献１】特開２０００−２４１７０号公報（第６〜第７頁、図８）
【発明の開示】
【発明が解決しようとする課題】
【０００３】
ところがスロットマシーンは、所定位置、即ち表示窓内の所定の当たりライン上に所定の絵柄が停止したか否かによって当たり（入賞）か否かを決めるものである。従って上記した従来技術のように最初から絵柄がリール上においてアンバランスに配置されている場合、左右方向（リールの幅方向）にずらして配置された絵柄が表示窓内に停止したときに形成される斜めの当たりラインは一定ではなくなる。このため絵柄の並びが非常に不自然となり、遊技者に対する印象が悪いばかりか、所定の当たりラインと認識し難い状況が生じる問題もあった。
また絵柄の中心位置がずれていなくても、従来技術のように最初から絵柄が回転変位していたり或いは対称変位している場合も、遊技者にとっては当該絵柄が表示窓内に停止した際の違和感は大きく、当該絵柄が変位していない本来の絵柄と同一か否かという疑問さえも抱かせかねないといった問題もあった。
また当初から、そのような配置をしているため、目押しを必要としないハズレゲームにおいても同じ回転態様となっていた。
つまり従来技術においては、リール回転時における目押しの補助を追及するあまり、スロットマシーンにおいて本来的に重要なリール停止時における絵柄の配置が、その表示状態の同一性や並び状態の自然性を損なったものとなっていた。
【０００４】
そこで本発明は上記従来のスロットマシーンやパロット等のリールを用いた遊技機における問題点を解消し、リール停止時における絵柄の表示状態や当たりラインの形成状態を自然な状態に維持しつつ、リール回転時における遊技者の目押し補助に資することができ、よってまた遊技者に違和感や不快感を与えず、また初心者でも容易に目押しが可能な、楽しく面白い遊技を行うことができる遊技機の提供を課題とする。
【課題を解決するための手段】
【０００５】
上記課題を達成するため本発明の遊技機は、複数種類からなる絵柄を周面に多数配列した回転自在のリールを複数個備え、該複数個のリールを回転状態から停止させた際に絵柄表示窓に表示される絵柄の種類の組み合わせによって、入賞の有無や入賞の種類を表示するようにした遊技機であって、前記リールの周面に配列される絵柄の少なくとも１つを他の絵柄から独立して機械的に変位可能な変位絵柄部材として構成し、この変位絵柄部材をリール上でその位置を変位させるように構成したことを第１の特徴としている。
また本発明の遊技機は、上記第１の特徴に加えて、変位絵柄部材を、リール停止中には基本位置に保持すると共に、リール回転中には基本位置から変位させることを第２の特徴としている。
また本発明の遊技機は、上記第１又は第２の特徴に加えて、変位絵柄部材をリールの回転による遠心力によって変位させることを第３の特徴としている。
また本発明の遊技機は、上記第１〜第３の何れかの特徴に加えて、変位絵柄部材は、リール停止時には横長に配置すると共に、リール回転中には縦長状態になるように回転変位させることを第４の特徴としている。
また本発明の遊技機は、上記第１〜第３の何れかの特徴に加えて、変位絵柄部材は、リール停止時には基本位置に配置すると共に、リール回転中はリールの周面に垂直な方向に変位させることを第５の特徴としている。
また本発明の遊技機は、上記第１〜第３の何れかの特徴に加えて、変位絵柄部材は、リール停止時には基本位置に配置すると共に、リール回転中はリールの周面においてリールの幅方向に変位させることを第６の特徴としている。
【０００６】
上記第１の特徴をもつ遊技機によれば、それぞれのリールが回転されると、回転されたリールの周面に配列された絵柄がリールの回転と共に回転する。そして遊技者等によってリールの回転が停止されると、その停止されたリールの周面に配列された絵柄のうち絵柄表示窓の位置で止まった絵柄が絵柄表示窓から表示される。全リールが停止された際の絵柄表示窓に表示される複数の絵柄の組み合わせが一定の組み合わせとなると、入賞（いわゆる当たり）と判定される。入賞すると、遊技者はメダルや遊技球等の遊技媒体による払い出しを受ける等の報償を得る。前記リールの周面に配置された絵柄のうち、その１乃至複数の絵柄は変位絵柄部材として構成され、リールの周面上において、その位置を独立して機械的に変位することができように配置されている。機械的に変位するとは、映像的な変位ではなく、実体としての変位絵柄部材が現にその位置を変更、即ち変位する意味である。
リール周面上において、他の絵柄が不動であるのに対して変位絵柄部材を可動に、しかも実体として機械的に変位させることで、従来にない動的、静的な絵柄表現を実現することができる。
変位絵柄部材はリールの回転状態において或いは停止状態において、変位させることができる。リールの回転状態において変位させることで、リール上の絵柄全体としての回転軌跡を変化させることができ、これによって遊技者の目押しの一助に供することができる。
【０００７】
上記第２の特徴をもつ遊技機によれば、上記第１の特徴による作用に加えて、リールの周面に配置される変位絵柄部材は、リールがその回転を停止している状態では常に基本位置に保持され、リール回転中には前記基本位置から変位する。よって変位絵柄部材は遊技者が当たり外れを確認するリール停止中には必ず所定の基本位置に戻った状態となって遊技者の目にふれることになり、遊技者をして絵柄配置の安定感、自然なバランス感を与えることが可能となり、違和感、不快感等を与える余地を無くすことが可能となる。
【０００８】
上記第３の特徴をもつ遊技機によれば、上記第１又は第２の特徴による作用に加えて、変位絵柄部材はリールの回転による遠心力によって変位させるようにしているので、リールの回転とは別に特別の駆動源を必要とすることなく、変位絵柄部材の変位を行うことができる。
【０００９】
上記第４の特徴をもつ遊技機によれば、上記第１〜第３の何れかの特徴による作用に加えて、変位絵柄部材はリールの停止中は横長状態に配置される。またリール回転中には縦長状態に回転変位された状態となる。よってリール回転時における表示窓を通過する変位絵柄部材の通過時間がその分長くなり、遊技者にとって目押しが容易となる。また変位絵柄部材はリール停止時には元の横長状態になるので、遊技者に実質的な違和感を与えることはない。
【００１０】
上記第５の特徴をもつ遊技機によれば、上記第１〜第３の何れかの特徴による作用に加えて、リールの周面にある変位絵柄部材は、リール停止時には基本位置に保持される。そしてリールが回転すると、リールの周面に垂直な方向、つまりリールの回転中心から放射方向に変位される。即ち、遊技者に対して遠近方向に変位する。従ってリールの回転中における変位絵柄部材は、絵柄の遠近感に関して他の絵柄と異なる状況をもたらして遊技者にインパクトを与えると共に、遊技者の目押しの補助となることができる。またリール停止時には元の基本位置に復帰して遊技者に何ら違和感を与えない。
【００１１】
上記第６の特徴をもつ遊技機によれば、上記第１〜第３の何れかの特徴による作用に加えて、リールの周面にある変位絵柄部材は、リール停止時には基本位置に保持される。そしてリールが回転するとリールの幅方向に変位される。即ち、リールの回転中における変位絵柄部材は、他の絵柄よりも側方に突出した状態となる。よって遊技者の目押しの補助となることができる。またリール停止時には元の基本位置に復帰して遊技者に何ら違和感を与えない。
【発明の効果】
【００１２】
請求項１に記載の遊技機によれば、複数種類からなる絵柄を周面に多数配列した回転自在のリールを複数個備え、該複数個のリールを回転状態から停止させた際に絵柄表示窓に表示される絵柄の種類の組み合わせによって、入賞の有無や入賞の種類を表示するようにした遊技機であって、前記リールの周面に配列される絵柄の少なくとも１つを他の絵柄から独立して機械的に変位可能な変位絵柄部材として構成し、この変位絵柄部材をリール上でその位置を変位させるように構成したので、
他の絵柄が不動である中にあって、当該変位絵柄部材だけを可動に、しかも機械的に変位させることができ、リールの回転中或いは停止中において従来にない絵柄表現を実現させることができる。また変位絵柄部材は、リールの回転中においても停止状態において変位させることが可能であり、よって遊技者の目を楽しませることが可能となる。勿論、リールの回転状態において変位させることで、リール上の絵柄全体としての回転軌跡を変化させることができ、これによって遊技者の目押しの一助に供することができる。即ち、楽しく面白い遊技機を提供することができる。
【００１３】
また請求項２に記載の遊技機によれば、上記請求項１に記載の構成による効果に加えて、変位絵柄部材を、リール停止中には基本位置に保持すると共に、リール回転中には基本位置から変位させることとしたので、
リール回転中は、変位絵柄部材の変位によって異なる回転絵柄表現を遊技者与えると共に、遊技者の目押しに対する補助の役割を果たすことが可能となる。また遊技者が当たり外れを確認するリール停止中には、必ず所定の基本位置に戻った状態となって、遊技者に絵柄配置の安定感、自然なバランス感を与え、違和感、不快感等を与える余地を無くすことが可能となる。
【００１４】
また請求項３に記載の遊技機によれば、上記請求項１又は２に記載の構成による効果に加えて、変位絵柄部材をリールの回転による遠心力によって変位させることとしたので、
リールの回転を利用して変位絵柄部材の変位を行わせることができ、特別の駆動源を必要としないメリットがある。
【００１５】
また請求項４に記載の遊技機によれば、上記請求項１〜３の何れかに記載の構成による効果に加えて、変位絵柄部材は、リール停止時には横長に配置すると共に、リール回転中には縦長状態になるように回転変位させることとしたので、
リール回転時における表示窓を通過する変位絵柄部材の通過時間をその分長くすることができ、遊技者にとっての目押しの判断を容易にすることができると共に、リール停止時には変位絵柄部材を元の状態に復帰させて遊技者に何ら違和感等を与えることがないようにすることができる。
【００１６】
また請求項５に記載の遊技機によれば、上記請求項１〜３の何れかに記載の構成による効果に加えて、変位絵柄部材は、リール停止時には基本位置に配置すると共に、リール回転中はリールの周面に垂直な方向に変位させることとしたので、
リールの回転中においては変位絵柄部材を他の絵柄と異なる遠近感のある状態に変位させて遊技者にインパクトを与えると共に、遊技者の目押しの補助となることができ、またリール停止時には元の基本位置に復帰して遊技者に何ら違和感を与えないようにすることができる。
【００１７】
また請求項６に記載の遊技機によれば、上記請求項１〜３の何れかに記載の構成による効果に加えて、変位絵柄部材は、リール停止時には基本位置に配置すると共に、リール回転中はリールの周面においてリールの幅方向に変位させることとしたので、
リールの回転中における変位絵柄部材を他の絵柄よりも側方に突出した状態に変位させて通常とは異なる回転絵柄の軌跡を演出すると共に、遊技者の目押しの補助となることができ、またリール停止時には元の基本位置に復帰して遊技者に何ら違和感を与えないようにすることができる。
【発明を実施するための最良の形態】
【００１８】
（第１の実施形態）
図１〜図６を参照して、本発明の第１の実施形態を説明する。
図１は本発明に係る遊技機の第１の実施形態であるスロットマシーンの全体斜視図、図２はスロットマシーンの各リール上に配列される絵柄の例を示す図、図３はリールの構成を説明する斜視図、図４はリールの分解斜視図、図５の（Ａ）、（Ｂ）は変位絵柄部材の回転変位動作を説明する斜視図、図６の（Ａ）、（Ｂ）は変位絵柄部材の回転変位の状態をリール上において示す図である。
【００１９】
先ず図１を参照して、スロットマシーン１を構成するキャビネット２には、その前面部に表示窓３、メダル投入口４、スタートレバー５、ストップボタン６、メダル払い出し受け皿７、演出表示部８等が設けられている。
図２、図３も参照して、今、メダル投入口４からメダルを投入し、スタートレバー５を操作することで、表示窓３の内部において３つのリール１０、１０、１０がそれぞれ回転する。そして遊技者がストップボタン６、６、６をそれぞれ自由なタイミングで押すことで、対応する各リール１０、１０、１０がその回転を停止する。各リール１０、１０、１０にはその回転周面にそれぞれ複数の種類の絵柄Ｄが配列して表示されており、それら各リール１０、１０、１０の回転停止に伴って、表示窓３の位置に対応して停止した絵柄Ｄが表示窓３から見えるようになされている。そして表示窓３の位置に停止された各絵柄Ｄが一定の組み合わせになっているか否かによって、入賞（当たり）か否（ハズレ）か或いは入賞（当たり）の種類が表示され、入賞であれば入賞の種類に応じた個数のメダルが遊技媒体としてメダル払い出し受け皿７に払い出される構成となっている。従って今、例えば３つのリール１０、１０、１０の絵柄Ｄ、Ｄ、Ｄの内の２つの絵柄Ｄ、Ｄが停止した状態となり、残る３つ目の絵柄Ｄを一定の絵柄にて表示窓３に停止させることができれば、一定の入賞を得ることができる状況にある場合には、遊技者はその最後の回転リール１０のストップボタン６を闇雲に押すのではなく、リール１０の回転中に表示窓３を通過する絵柄Ｄの何らかの特徴を目で捉えて、目的の絵柄Ｄが表示窓３に停止する確率ができるだけ高くなるように、その停止のタイミングの判断、即ち「目押し」の判断をしようとする。
【００２０】
図４、図５も参照して、前記リール１０は本実施形態では３つ設けられている。各リール１０の周面に、図２に示す絵柄テープ２０、２０、２０がそれぞれ貼り付けられている。これによって各リール１０の周面に複数の絵柄Ｄが配列された状態に構成される。
前記絵柄Ｄは絵柄テープ２０に予め印刷されて構成されている。その一方、後述する変位絵柄部材Ｄ１は、他の絵柄Ｄとは異なり、絵柄テープ２０に印刷されることなく、独立して直接的にリール１０に取り付けられる。
各リール１０は、それぞれ図示しないステッピングモータ等の回転駆動手段によって回転される。
【００２１】
前記各リール１０には図示しない回転駆動手段の回転軸が挿入される軸孔１１を中央に備えたボビンのような形状をしており、そのフレームとして側面には十字状のアーム部１２が形成され、また外周には幅の大小異なる桟部１３が設けられている。幅広の桟部１３は前記アーム部１２に対応した位置に設けられている。
【００２２】
変位絵柄部材Ｄ１は、これを平面に描いた絵ではなく１つの独立して変位することができる立体的な絵柄部材として構成している。この変位絵柄部材Ｄ１は、前記リール１０の外周に設けられた桟部１３の軸受孔１３ａを貫通して回転自在に設けられる変位軸部１４に取り付けられる。
前記変位軸部１４は、大径中央部１４ａと該大径中央部１４ａから先方へ突出する先端軸部１４ｂと、基端軸部１４ｃとからなる。
前記先端軸部１４ｂは前記幅広の桟部１３の軸受孔１３ａを回転自在に貫通した状態で、その先端面で前記変位絵柄部材Ｄ１の裏面と一体に結合されている。
前記基端軸部１４ｃは取付基板１５に設けられた軸受孔１５ａに回転自在に軸受けされる。
なお基端軸部１４ｃには、ＬＥＤ取付板１６が取り付けられる。該ＬＥＤ取付板１６には複数のＬＥＤが取り付けられ、前記変位絵柄部材Ｄ１のバックライトとして、例えば変位絵柄部材Ｄ１の回転変位に伴ってＬＥＤを発光させる等、必要に応じた発光ができるように構成されている。
前記変位軸部１４ｂの大径中央部１４ａには、その側周面に倣い溝１４ｄが構成されており、後述する進退可動部材１７の倣いピン１７ａと係合する。
【００２３】
前記取付基板１５は前記アーム部１２に固定され、その軸受孔１５ａがリール１０の回転軸に対して直角になるように開けられている。これによって該取付基板１５の軸受孔１５ａと前記幅広の桟部１３の軸受孔１３ａとで軸受けされる変位軸部１４が、リール１０の回転軸に対して直角な放射方向に保持される。
取付基板１５には、前記した進退可動部材１７を付勢する付勢バネ１７ｂを貫通させるためのバネ孔１５ｂも設けている。
【００２４】
前記進退可動部材１７は、リール１０の回転中にはその遠心力により付勢バネ１７ｂに抗してリールの１０の回転軸に垂直な放射方向に進出し、回転停止中は付勢バネ１７ｂにより後退する部材である。該進退可動部材１７は、前記アーム部１２に取り付けられる一対のガイド部材１８、１８によって、該一対のガイド部材１８、１８とアーム部１２との間に保持され、リール１０の回転により遠心力が生じるとリール１０の回転軸に垂直な放射方向に進出し、リール１０の回転が停止すると後退して元の位置に戻る。なお一対のガイド部材１８、１８には段部１８ａが構成され、進退可動部材１７が進退方向から脱落しないようにしている。１９は付勢バネ１７ｂを取り付けるバネ取付片である。
進退可動部材１７には前記変位軸部１４の倣い溝１４ｄに係合する倣いピン１７ａが形成されており、進退可動部材１７の進退に伴って、倣いピン１７ａが変位軸部１４の倣い溝１４ｂに沿って変位軸部１４を回転変位させる。
【００２５】
図５の（Ａ）、（Ｂ）及び図６の（Ａ）、（Ｂ）を参照して、変位絵柄部材Ｄ１の動きを更に説明する。
図５の（Ａ）はリール１０の停止時、図５の（Ｂ）はリール１０の回転時における状態を示す。図５の（Ａ）に示すように、リール１０の停止時には変位絵柄部材Ｄ１である「７」は基本位置、即ちリール１０の周面に貼られた絵柄シート２０に印刷して配された他の絵柄Ｄである「７」と同じ配置状態に配置される（図６の（Ａ））。この図６の（Ａ）の基本位置において、変位絵柄部材Ｄ１である「７」は横長の状態にある。
リール１０の回転が開始されると、遠心力が発生するため進退可動部材１７が進出し、それに伴って倣いピン１７ａも進出するため、変位軸部１４が倣い溝１４ｄに係合する倣いピン１７ａによって押されて回転していく。本実施形態では倣いピン１７ａの進出に伴って変位軸部１４が時計方向に回転し、これにより変位絵柄部材Ｄ１も時計方向に回転変位される。この実施形態ではリール１０の回転の安定状態（最高回転数）において、時計方向に９０度回転変位した状態となる（図６の（Ｂ））。即ち、変位絵柄部材Ｄ１である「７」が９０度回転変位して横向きとなる。この図６の（Ｂ）の変位状態では、変位絵柄部材Ｄ１である「７」は縦長の状態である。
そして遊技者によりストップボタン６が押されると、リール１０の回転速度がその速度を落とし、よって遠心力が低下し、進退可動部材１７が進出状態から後退してゆき、やがて元の後退位置に戻る。すると変位絵柄部材Ｄ１は元の基本位置に復帰する（図６の（Ａ））。
【００２６】
なお本実施形態では、変位絵柄部材Ｄ１の回転変位の位置が、付勢バネ１７ｂの自由長さにおいて基本位置の位置決めがされ、最大の遠心力に対して発生する付勢バネ１７ｂの伸びた状態において９０度回転するように、付勢バネ１７ｂが調整されている。が、このような手段に限らず、進退可動部材１７の進退範囲を限定する手段や倣い溝１４ｄの長さを限定する手段により、変位絵柄部材Ｄ１の回転角度を一定範囲に定めることができる。
【００２７】
図６の（Ａ）、（Ｂ）を用いて、表示窓３から視認できる変位絵柄部材Ｄ１を含む絵柄Ｄの状態を更に説明する。
図６の（Ａ）はリール１０の停止時、図６の（Ｂ）はリール１０の回転時を示す。リール１０の停止時においては、変位絵柄部材Ｄ１である「７」は他の絵柄Ｄである「７」と同じ態様で、且つ横長の状態として基本位置にある。対してリール１０の回転時においては、変位絵柄部材Ｄ１である「７」は９０度回転変位し、他の絵柄Ｄである「７」とは異なり、縦長の状態となる。よって仮にリール１０が図６の（Ａ）の状態のまま回転している場合と、リール１０が図６の（Ｂ）の状態で回転している場合とを比較すると、図６の（Ｂ）で回転している方が、表示窓３に変位絵柄部材Ｄ１が現れてから隠れてしまうまでの時間が長くなる。しかして遊技者は変位絵柄部材Ｄ１である「７」を目押しすることが格段に容易となる。
図６では絵柄Ｄの配置に関して、変位絵柄部材Ｄ１である「７」の上下隣接位置に同じ「７」の絵柄Ｄを配置していないものを説明したが、変位絵柄部材Ｄ１の上下隣接位置に同じ「７」の絵柄Ｄを配したものでもよく、この場合は更に目押しが容易となる。
【００２８】
また上記目押しを補助するために、前記変位絵柄部材Ｄ１のバックライトとして、複数のＬＥＤをＬＥＤ取付板に備え、変位絵柄部材Ｄ１の回転変位に伴ってＬＥＤを発光させる等、必要に応じた発光ができるように構成されているので、遊技者は更に容易に変位絵柄部材Ｄ１の目押しが可能となる。
【００２９】
（第１の実施形態の変形例）
図７、８を参照して、上記第１の実施形態の変形例を説明する。図７はリールの構成を説明する斜視図、図８の（Ａ）、（Ｂ）は変位絵柄部材の回転変位動作を説明する斜視図である。
【００３０】
リール１０の大まかな構成は上記第１の実施形態の場合と同様で、リール１０に軸孔１１、アーム部１２、桟部１３が設けられている。３つのリール１０のそれぞれの周面には、図２に示した絵柄シート２０が貼られる。
【００３１】
本変形例では、変位絵柄部材Ｄ１はロータリーソレノイド３０に取り付けられる。即ち、ロータリーソレノイド３０を幅広の桟部１３の裏面側に取り付けると共に、そのロータリーソレノイド３０の回転軸３１を前記桟部１３の軸受孔１３ａ（図４参照）に貫通させて、その回転軸３１の先端面で前記変位絵柄部材Ｄ１の裏面と一体に結合されている。
前記ロータリーソレノイド３０は、通電がなされると、回転軸３１が元の位置から設定した角度だけ回転し、通電ＯＦＦにより回転軸３１が元の位置に戻るように構成されたものである。
【００３２】
今、リール１０の停止時においては、変位絵柄部材Ｄ１である「７」は、図８の（Ａ）、図６の（Ａ）に示す基本位置にある。そしてリール１０の回転に伴いロータリーソレノイド３０に通電がなされると、回転軸３１が設定角度である９０度回転し、結果として変位絵柄部材Ｄ１は基本位置から９０度回転変位した状態、即ち図８の（Ｂ）、図６の（Ｂ）に示す状態となる。この図８の（Ｂ）、図６の（Ｂ）に示す状態では変位絵柄部材Ｄ１である「７」は縦長となり、リール１０の回転中に表示窓３に変位絵柄部材Ｄ１が現れてから隠れてしまうまでの時間が長くなる。このため遊技者は変位絵柄部材Ｄ１である「７」を目押しすることが格段に容易となる。
なおこの例では、変位絵柄部材Ｄ１の回転変位は、ロータリーソレノイド３０への通電によるものであることから、リール１０の回転の有無とは無関係に制御することもでき、変位絵柄部材Ｄ１を変位させない状態をつくることも可能となる。よって遊技状態に応じて、目押しの必要な場合と不要な場合とで、変位絵柄部材Ｄ１の回転変位の有無を適宜選択するようにすることも可能となる。更にリール１０の停止時においても変位絵柄部材Ｄ１を変位させることが可能である為、演出としてリール１０の停止時に変位絵柄部材Ｄ１を変位させたり、或いはリール１０の回転前に止めるべき絵柄の報知を変位絵柄部材Ｄ１の変位によって行ったりすることもできる。
【００３３】
（第２の実施形態）
図９〜図１３を参照して、本発明の第２の実施形態を説明する。
図９は本発明に係る遊技機の第２の実施形態であるスロットマシーンのリールの構成を説明する斜視図、図１０はリールの分解斜視図、図１１の（Ａ）、（Ｂ）はリール停止時における変位絵柄部材の状態を説明する正面図と側面図、図１２の（Ａ）、（Ｂ）はリール回転時における変位絵柄部材の状態を説明する正面図と側面図、図１３の（Ａ）、（Ｂ）は変位絵柄部材の回転変位の状態をリール上において示す図である。
【００３４】
リール１０の大まかな構成は上記第１の実施形態の場合と同様で、リール１０に軸孔１１、アーム部１２、桟部１３が設けられている。３つのリール１０のそれぞれの周面には、図２に示した絵柄シート２０が貼られる。
本第２の実施形態では、変位絵柄部材Ｄ１は、前記リール１０の外周に設けられた桟部１３の軸受孔１３ａを貫通して進退自在に設けられる変位軸部４０に取り付けられる。変位軸部４０は取付基板４１に取り付けられる。
【００３５】
前記変位軸部４０は、中央胴部４０ａと、該中央胴部４０ａから先方へ突出する先端軸部４０ｂと、基端鍔部４０ｃとからなる。
前記変位軸部４０の中央胴部４０ａには、該中央胴部４０ａが異形断面となるように、その側面を軸方向にカットして回り止め部４０ｄを設けている。
前記先端軸部４０ｂは前記幅広の桟部１３の軸受孔１３ａに進退自在に貫通した状態で、その先端面で前記変位絵柄部材Ｄ１の裏面と一体に結合されている。
前記基端鍔部４０ｃは、取付基板４１に設けられた挿通孔４１ａに通された変位軸部４０のストッパーとしての役割を果たす。
変位軸部４０に対しては、付勢バネ４２が取り付けられる。該付勢バネ４２は、具体的にはコイル状をして、変位軸部４０の先端軸部４０ｂに嵌められた状態で、中央胴部４０ａの端面と桟部１３の裏面との間に保持されている。
前記取付基板４１は前記アーム部１２に固定され、その挿通孔４１ａがリール１０の回転軸に対して直角になるように開けられている。これによって該取付基板４１の挿通孔４１ａと前記幅広の桟部１３の軸受孔１３ａとで軸受けされる変位軸部４０が、リール１０の回転軸に対して直角な放射方向に保持される。
前記取付基板４１の挿通孔４１ａは、前記変位軸部４０の中央胴部４０ａの異形断面に対応した異形孔に形成して、前記回り止め部４０ｄを設けた中央胴部４０ａが進退自在に挿通するも、回転ができないようにしている。
【００３６】
図１１の（Ａ）、（Ｂ）、図１２の（Ａ）、（Ｂ）及び図１３の（Ａ）、（Ｂ）を参照して、変位絵柄部材Ｄ１の動きを更に説明する。
図１１の（Ａ）はリール１０の停止時のリール正面図を示し、（Ｂ）はリール側面図を示す。図１１に示すように、リール１０停止時には、変位絵柄部材Ｄ１である「７」は基本位置に配置される。即ち、付勢バネ４２の付勢力によって変位軸部４０が後退され、変位絵柄部材Ｄ１がリール１０の周面にほぼ接した状態となり、リール１０周面に貼られた絵柄シート２０上に印刷して配された他の絵柄Ｄである「７」とほぼ同様な配置状態となる（図１３の（Ａ））。
次にリール１０の回転が開始されると、遠心力が発生するため、付勢バネ４２に抗して変位軸部４０が進出し、これに伴って変位絵柄部材Ｄ１がリール１０の周面から離れた状態、即ちリール１０の周面に貼られた絵柄シート２０上に印刷して配された他の絵柄Ｄに対して、より前方（遊技者側）へ浮き上がったような配置状態となる（図１３の（Ｂ））。
なお図１３の（Ｂ）において、変位絵柄部材Ｄ１である「７」に斜線Ｓを付しているが、この斜線Ｓは変位絵柄部材Ｄ１が絵柄シート２０から前へ浮き上がっている状態を表現したものである。
そして遊技者によりストップボタン６が押されると、リール１０の回転速度が停止に向けてその速度を落とし、よって遠心力が低下し、変位軸部４０が進出状態から後退してゆき、やがて元の後退位置に戻る。すると変位絵柄部材Ｄ１は元の基本位置に復帰する（図１１、図１３の（Ａ））。
【００３７】
よって仮にリール１０が図１１の状態のまま回転している場合と、リール１０が図１２の状態で回転している場合とを比較すると、図１２の状態で回転している場合は、表示窓３に現れる変位絵柄部材Ｄ１の「７」状況が他の絵柄Ｄの場合とは異なって見えることになる。このため遊技者は「７」を目押しすることが格段に容易となる。
【００３８】
（第３の実施形態）
図１４〜図１８を参照して本発明の第３の実施形態を説明する。
図１４は本発明に係る遊技機の第３の実施形態であるスロットマシーンのリールの構成を説明する斜視図、図１５はリールの分解斜視図、図１６はリール停止時における変位絵柄部材の状態を説明する平面図、図１７はリール回転時における変位絵柄部材の状態を説明する平面図、図１８の（Ａ）、（Ｂ）は変位絵柄部材の回転変位の状態をリール上において示す図である。
【００３９】
リール１０の大まかな構成は上記第１の実施形態の場合と同様で、リール１０に軸孔１１、アーム部１２、桟部１３が設けられている。３つのリール１０のそれぞれの周面には、図２に示した絵柄シート２０が貼られる。
本第３の実施形態では、変位絵柄部材Ｄ１は、前記リール１０の外周に設けられた桟部１３の軸摺動横長孔１３ｂを貫通して幅方向に移動自在に設けられる変位軸部５０に取り付けられる。変位軸部５０は取付基板５１に取り付けられる。
【００４０】
前記変位軸部５０は、本体軸部５０ａと先端軸部５０ｄとからなる。本体軸部５０ａには、その先端に斜めにカットされた傾斜当接面５０ｂが形成され、途中位置に鍔部５０ｃが形成されている。前記先端軸部５０ｄには、その基端に斜めにカットされた傾斜当接面５０ｅが形成され、また先端に前記桟部１３の軸摺動横長孔１３ｂを貫通して変位絵柄部材Ｄ１に結合される結合ピン５０ｆが形成されている。
前記変位軸部５０の本体軸部５０ａと先端軸部５０ｄとは、傾斜当接面５０ｂ、５０ｅで相互に当接した状態に保持される。
前記変位軸部５０の本体軸部５０ａは、取付基板５１に設けられた挿通孔５１ａに進退自在に挿通されると共に、鍔部５０ｃがストッパーとなって本体軸部５０ａの最後退位置を限定している。
前記変位軸部５０の先端軸部５０ｄは、その結合ピン５０ｆが前記桟部１３の軸摺動横長孔１３ｂに幅方向に移動自在に貫通した状態で前記変位絵柄部材Ｄ１の裏面と一体に結合されている。
また前記変位軸部５０の先端軸部５０ｄに対しては、付勢バネ５２が取り付けられる。５３はバネ取付片である。該付勢バネ５２は、先端軸部５０ｄを前記軸摺動横長孔１３ｂの片側に、本第３の実施形態では付勢バネ５２が収縮する方向に先端軸部５０ａを付勢している。
前記取付基板５１は、前記アーム部１２に固定され、その挿通孔５１ａがリール１０の回転軸に対して直角になるように開けられている。これによって該取付基板５１の挿通孔５１ａと前記幅広の桟部１３の前記軸摺動横長孔１３ｂとで軸受けされる変位軸部５０がリール１０の回転軸に対して直角な放射方向に保持される。
【００４１】
図１６、図１７及び図１８の（Ａ）、（Ｂ）を参照して変位絵柄部材Ｄ１の動きを更に説明する。
図１６はリール１０の停止時における変位軸部５０の平面図を示す。図１６に示すように、リール１０の停止時には変位絵柄部材Ｄ１である「７」は基本位置に配置される。即ち、付勢バネ５２の付勢力によって変位軸部５０の先端軸部５０ｄが図面上の右方向へ後退され、よって変位絵柄部材Ｄ１も図面上の右方向へ移動した基本位置に配置される。この基本位置は、リール１０の周面に貼られた絵柄シート２０上において、印刷して配された他の絵柄Ｄである「７」と同様な位置関係にある位置である（図１８の（Ａ））。
次にリール１０の回転が開始されると、遠心力が発生するため、図１７に示すように、変位軸部５０の本体軸部５０ａが進出（図面上で下方向）する。すると本体軸部５０ａと傾斜当接面５０ｂ、５０ｅ同士で当接する先端軸部５０ｄが、付勢バネ５２に抗して、図面上の左方向移動する。よって変位絵柄部材Ｄ１も図面上の左方向へ変位する。この下方への変位は、前記桟部１３に設けた軸摺動横長孔１３ｂの孔の片側から他側までの変位である。前記変位絵柄部材Ｄ１である「７」の変位は絵柄シート２０における幅方向の変位であり、絵柄シート２０に印刷された絵柄Ｄの「７」に対して絵柄シート２０の幅方向に変位した状態となる（図１８の（Ｂ））。
そして遊技者によりストップボタン６が押されると、リール１０の回転速度が停止に向けてその速度を落とし、よって遠心力が低下し、変位軸部５０の本体軸部５０ａが進出状態から後退してゆき、やがて元の後退位置に戻る。すると先端軸部５０ｄも付勢バネ５２の付勢力により元に復帰し、結果として変位絵柄部材Ｄ１は元の基本位置に復帰する（図１６、図１８の（Ａ））。
【００４２】
よって仮にリール１０が図１６の状態のまま回転している場合と、リール１０が図１７の状態で回転している場合とを比較すると、図１７の状態で回転している場合は、表示窓３に現れる変位絵柄部材Ｄ１の「７」状況が他の絵柄Ｄの「７」よりも側方に一段飛び出した状態で回転する。よって遊技者は、この飛び出した変位絵柄部材Ｄ１の「７」が表示窓３を通過するのを参照することで、目押しすることが格段に容易となる。
【００４３】
なお上記第１の実施形態の変形例以外の第１〜第３の実施形態においても、リール１０の回転に伴い常に変位絵柄部材Ｄ１が基本位置から変位する構成に限定することなく、例えば遊技状態に応じて変位絵柄部材の変位を規制或いは許容する手段を備えるようにすることで、目押しの必要な遊技状態と不要な遊技状態に応じて変位絵柄部材の変位の有無を適宜選択できるようにしたものであってもよい。
その他、上記実施形態では遊技機としてスロットマシーンの場合を開示したが、代わりにパロット等のリールを備えた遊技機であってもよい。このような場合も本発明の範囲内である。
【図面の簡単な説明】
【００４４】
【図１】本発明に係る遊技機の第１の実施形態であるスロットマシーンの全体斜視図である。
【図２】スロットマシーンの各リール上に配列される絵柄の例を示す図である。
【図３】リールの構成を説明する斜視図である。
【図４】リールの分解斜視図である。
【図５】変位絵柄部材の回転変位動作を説明する斜視図である。
【図６】変位絵柄部材の回転変位の状態をリール上において示す図である。
【図７】第１の実施形態の変形例に係る遊技機のリールの構成を説明する斜視図である。
【図８】変位絵柄部材の回転変位動作を説明する斜視図である。
【図９】本発明に係る遊技機の第２の実施形態であるスロットマシーンのリールの構成を説明する斜視図である。
【図１０】リールの分解斜視図である。
【図１１】リール停止時における変位絵柄部材の状態を説明する正面図と側面図である。
【図１２】リール回転時における変位絵柄部材の状態を説明する正面図と側面図である。
【図１３】変位絵柄部材の回転変位の状態をリール上において示す図である。
【図１４】本発明に係る遊技機の第３の実施形態であるスロットマシーンのリールの構成を説明する斜視図である。
【図１５】リールの分解斜視図である。
【図１６】リール停止時における変位絵柄部材の状態を説明する平面図である。
【図１７】リール回転時における変位絵柄部材の状態を説明する平面図である。
【図１８】変位絵柄部材の回転変位の状態をリール上において示す図である。
【符号の説明】
【００４５】
１      スロットマシーン
３      表示窓
４      メダル投入口
５      スタートレバー
６      ストップボタン
７      メダル払い出し受け皿
１０    リール
１１    軸孔
１２    アーム部
１３    桟部
１３ａ  軸受孔
１３ｂ  軸摺動横長孔
１４    変位軸部
１４ａ  大径中央部
１４ｂ  先端軸部
１４ｃ  基端軸部
１４ｄ  倣い溝
１５    取付機基板
１５ａ  軸受孔
１５ｂ  バネ孔
１６    ＬＥＤ取付板
１７    進退可動部材
１７ａ  倣いピン
１７ｂ  付勢バネ
１８    ガイド部材
１８ａ  段部
１９    バネ取付片
２０    絵柄シート
３０    ロータリーソレノイド
３１    回転軸
４０    変位軸部
４０ａ  中央胴部
４０ｂ  先端軸部
４０ｃ  基端鍔部
４０ｄ  回り止め部
４１    取付基板
４１ａ  挿通孔
４２    付勢バネ
５０    変位軸部
５０ａ  本体軸部
５０ｂ  傾斜当接部
５０ｃ  鍔部
５０ｄ  先端軸部
５０ｅ  傾斜当接部
５０ｆ  結合ピン
５１    取付基板
５１ａ  挿通孔
５２    付勢バネ
５３    バネ取付片
Ｄ      絵柄
Ｄ１    変位絵柄部材
Ｓ      斜線
【図１】
2006051261.tif 000003
【図２】
2006051261.tif 000004
【図３】
2006051261.tif 000005
【図４】
2006051261.tif 000006
【図５】
2006051261.tif 000007
【図６】
2006051261.tif 000008
【図７】
2006051261.tif 000009
【図８】
2006051261.tif 000010
【図９】
2006051261.tif 000011
【図１０】
2006051261.tif 000012
【図１１】
2006051261.tif 000013
【図１２】
2006051261.tif 000014
【図１３】
2006051261.tif 000015
【図１４】
2006051261.tif 000016
【図１５】
2006051261.tif 000017
【図１６】
2006051261.tif 000018
【図１７】
2006051261.tif 000019
【図１８】
2006051261.tif 000020